【手続補正書】
【提出日】平成29年3月1日(2017.3.1)
【手続補正１】
【補正対象書類名】特許請求の範囲
【補正対象項目名】全文
【補正方法】変更
【補正の内容】
【特許請求の範囲】
【請求項１】
ライナーの少なくとも一部を受容するライナー支持フレーム内部空間を規定するライナー支持フレームと、前記ライナーとを含む、搾乳器の乳房インターフェースであって、前記ライナー支持フレームは、
前部リングと、
後部リングと、
前記前部リングと前記後部リングとが軸方向に離間されるように当該前部リングと当該後部リングとを相互接続する、少なくとも１つのアームと、
を含み、前記ライナーは、
前記ライナー支持フレームの前記前部リングに係合する、前部セクションと、
前記前部セクションに接続され、後部のテーパする漏斗状壁部を含む、中間セクションと、
前記中間セクションに接続され、前記ライナー支持フレームの前記後部リングによって嵌めるように受容される管状壁部を含む、後部セクションであって、前記管状壁部の後端には、前記ライナー支持フレームの前記後部リングの内径よりも大きい外径を有し、前記乳房インターフェースの組み立てられた状態において末端で前記後部リングに当接する、第１の環状フランジが設けられている、当該後部セクションと、
を含み、
前記後部リングは、分割された後部リングであり、前記ライナーのフランジ付きの後端の通過を容易にするために互いに対し再配置可能な、少なくとも２つの相補形の後部リング円周部分を含むことを特徴とする、乳房インターフェース。
【請求項２】
前記少なくとも２つの相補形の後部リング円周部分は、当該少なくとも２つの相補形の後部リング円周部分の間に少なくとも１つの略Ｃ字形の割れ目を規定する、請求項１に記載の乳房インターフェース。
【請求項３】
前記ライナー支持フレームの前記少なくとも１つのアームは、前記ライナー支持フレーム内部空間への手動及び視覚的アクセスを可能にする少なくとも１つのアクセス窓を規定する、請求項１又は２に記載の乳房インターフェース。
【請求項４】
前記ライナーの管状の前記後部セクションは、前記乳房インターフェースの組み立てられた状態において、前記後部リングが前記第１の環状フランジと第２の環状フランジとの間で軸方向に嵌るように受容されるように、前記第１の環状フランジからほぼ前記後部リングの軸方向の長さの距離で軸方向に離間される当該第２の環状フランジを含む、請求項１乃至３の何れか一項に記載の乳房インターフェース。
【請求項５】
前記ライナーの前記前部セクションは、前記ライナー支持フレームの前記前部リングを少なくとも部分的に受容し、ｘ個の対称中心線を有する円周形状を有する環状溝を含み、前記ライナー支持フレームの前記前部リングは、ｙ個の対称中心線を有する円周形状を有し、このときｘ＜ｙである、請求項１乃至４の何れか一項に記載の乳房インターフェース。
【請求項６】
前記ライナーの前記前部セクション内の前記環状溝は楕円形の円周形状を有し、前記ライナー支持フレームの前記前部リングは、円形の円周形状を有する、請求項５に記載の乳房インターフェース。
【請求項７】
前記ライナーの前記中間セクションは、前記前部セクションを前記中間セクションの前記後部のテーパする漏斗状壁部に接続し、軸方向の側断面図において見えるＳ字形曲線を規定する、Ｓ字形曲線を有する接続壁部を更に含む、請求項１乃至６の何れか一項に記載の乳房インターフェース。
【請求項８】
前記ライナーの前記前部セクションは、乳房接触面を規定する前壁部と、前記乳房接触面に設けられる中央開口とを含み、使用中、前記乳房接触面は女性の乳房に当接する一方で、乳房の乳輪及び乳首は、少なくとも部分的に前記中央開口を通り突出し、前記中央開口は非円形の形状を有する、請求項１乃至７の何れか一項に記載の乳房インターフェース。
【請求項９】
前記少なくとも１つのアームは、それぞれの前記相補形の後部リング円周部分がそれぞれの前記アームによって前記前部リングに接続され、前記アームが前記相補形の後部リング円周部分を弾性的に合せて保持するように、前記前部リングと前記後部リングとを相互接続する、複数の弾力のあるアームを含む、請求項１乃至８の何れか一項に記載の乳房インターフェース。
【請求項１０】
前記複数の弾力のあるアームのうちの少なくとも１つのアームには、それぞれの前記アームの内面から内側に突出し、前記乳房インターフェースの組立ての際に、前記ライナーの前記管状の後部セクションに設けられている前記第２の環状フランジと協働する、フランジ相互作用部材が設けられている、請求項４及び９に記載の乳房インターフェース。
【請求項１１】
前記前部リングは分割され、少なくとも２つの相補形の前部リング円周部分を含み、
前記少なくとも１つのアームは、少なくとも２つのアームを含み、
前記ライナー支持フレームは、各部分がそれぞれの前部リング円周部分と、それぞれの後部リング円周部分と、前記それぞれの前部リング円周部分と前記それぞれの後部リング円周部分とを軸方向に離間される態様で相互接続するそれぞれのアームと、を含む、少なくとも２つの取り外し可能な相補形の部分を含む、
請求項１乃至８の何れか一項に記載の乳房インターフェース。
【請求項１２】
前記前部リングは分割され、少なくとも２つの相補形の前部リング円周部分を含み、
前記少なくとも１つのアームは、少なくとも２つのアームを含み、
前記ライナー支持フレームは、各部分がそれぞれの前部リング円周部分と、それぞれの後部リング円周部分と、前記それぞれの前部リング円周部分と前記それぞれの後部リング円周部分とを軸方向に離間される態様で相互接続するそれぞれのアームと、を含む、少なくとも２つのヒンジを介して接続される相補形の部分を含む、
請求項１乃至８の何れか一項に記載の乳房インターフェース。
【請求項１３】
請求項１乃至１２の何れか一項に記載の乳房インターフェースを含む、搾乳機。
【請求項１４】
前部リングと、
後部リングと、
前記前部リングと前記後部リングとが軸方向に離間されるように当該前部リングと当該後部リングとを相互接続する、少なくとも１つのアームと、
を含み、
ライナーの少なくとも一部を受容するためのライナー支持フレーム内部空間を規定する、請求項１乃至１３の何れか一項に記載の乳房インターフェースに使用するライナー支持フレームであって、
前記後部リングは、前記ライナーのフランジ付きの後端の通過を容易にするために互いに対し再配置可能な、少なくとも２つの相補形の後部リング円周部分を含むことを特徴とする、ライナー支持フレーム。
【請求項１５】
ライナー支持フレームの前部リングに係合する、前部セクションと、
前記前部セクションに接続され、後部のテーパする漏斗状壁部を含む、中間セクションと、
前記中間セクションに接続され、前記ライナー支持フレームの前記後部リングによって嵌めるように包囲される管状壁部を含む、後部セクションであって、前記管状壁部の後端には、前記ライナー支持フレームの前記後部リングの内径よりも大きい外径を有し、前記乳房インターフェースの組み立てられた状態において末端で前記後部リングに当接する、第１の環状フランジが設けられ、管状の前記後部セクションは、前記乳房インターフェースの組み立てられた状態において、前記後部リングが前記第１の環状フランジと第２の環状フランジとの間で軸方向に嵌るように受容されるように、前記第１の環状フランジからほぼ前記後部リングの軸方向の長さの距離で軸方向に離間される当該第２の環状フランジを含む、後部セクションと、
を含む、請求項１乃至１３の何れか一項に記載の乳房インターフェースに使用するライナーであって、
前記前部セクションは、前記ライナー支持フレームの前記前部リングを少なくとも部分的に受容する環状溝であって、ｘ個の対称中心線を有する円周形状を有する当該環状溝を含み、前記ライナー支持フレームの前記前部リングは、ｙ個の対称中心線を有する円周形状を有し、ｘ＜ｙであることを特徴とする、ライナー。